(57)【要約】【課題】映像伝送の不具合発生箇所の特定が容易で装置規模を小型化できる圧縮映像伝送システムを提供することを目的とする。【解決手段】ＭＰＥＧ２方式で圧縮された映像信号を送信するＡＴＭノード装置１の６Ｍインタフェース部に信号折返し試験のテストパタン発生回路１１ａとテストパタン比較回路１１ｂを設け、また受信用のＡＴＭノード装置１にＭＰＥＧ２デコーダ部１７にデータ折り返し回路１７ａを設ける。映像信号をＡＴＭ伝送することにより、故障箇所の特定が容易で装置規模が小型化した映像伝送システムを提供することができる。【選択図】　図１
2004032345.tif 000002
【特許請求の範囲】
【請求項１】
ＡＴＭ伝送路に接続される複数のＡＴＭノード装置間で、ＭＰＥＧ２方式の映像伝送を行うＡＴＭ映像伝送システムにおいて、
ＭＰＥＧ２エンコーダからの映像信号を受信するインタフェース部にテストパタン信号を発生する機能と前記テストパタン信号と比較する機能とを設けた第１のＡＴＭノード装置と、
前記第１のＡＴＭノード装置から前記ＡＴＭ伝送路を介して送信される前記テストパタン信号を折返す機能を設けたＭＰＥＧ２のデコーダを内蔵した第２のＡＴＭノード装置と、
前記第１のＡＴＭノード装置もしくは前記第２のＡＴＭノード装置接続され、前記第１のＡＴＭノード装置及び前記第２のＡＴＭノード装置に対し前記テストパタン信号の送受信の指示、前記ＭＰＥＧ２デコーダの折返し機能に対し前記テストパタン信号の折返し指示、および前記インタフェース部に対し折返されたテストパタン信号と発生時のテストパタン信号との比較の指示を行う運用管理装置とを
具備することを特徴とするＡＴＭ映像伝送システム。
【請求項２】
前記運用管理装置は、前記第１のＡＴＭノード装置と前記第２のＡＴＭノード装置との間で前記テストパタン信号の通過経路を切替えて折返し試験を制御し、前記インタフェース部の比較結果が一致しない場合、前記ＡＴＭ伝送路の故障と判断することを特徴とする請求項１記載のＡＴＭ映像伝送システム。
【請求項３】
前記運用管理装置は、前記第１のＡＴＭノード装置と前記第２のＡＴＭノード装置との間で前記映像信号の内部通過経路を切替えることにより、前記映像伝送システムの故障部位を迂回して映像信号の伝送を可能にすることを特徴とする請求項１記載のＡＴＭ映像伝送システム。
【発明の詳細な説明】
【０００１】
【発明の属する技術分野】
本発明は、故障箇所の特定が容易なＡＴＭ映像伝送システムに関する。
【０００２】
【従来の技術】
近年、マルチメディア化が進み、映像信号をデジタル・圧縮符号化してネットワークに伝送し、テレビ会議や映像監視による遠隔監視が行われている。
【０００３】
このような、デジタル映像通信を行うためにＡＴＭ通信および、ＭＰＥＧ２の動画映像の圧縮符号化技術を用いた映像伝送システムが多く使用されている。この映像伝送システムにおいて映像伝送に不具合が発生した場合、映像伝送システム上の不具合箇所を特定するために、ＡＴＭノード装置に接続されたＭＰＥＧ２エンコーダ装置およびＭＰＥＧ２デコーダ装置を外し、ＡＴＭノード装置に回線試験機を接続して、不具合が伝送路側にあるか、接続機器によるものかを判定する試験・測定などを行っており、障害部分の検出に多くの作業を要していた。
【０００４】
以下、図５および図６により、従来のＡＴＭ伝送を用いた映像伝送システムにおける故障箇所特定方法について説明する。
【０００５】
図５は、従来のＡＴＭ伝送を用いて、ＭＰＥＧ２方式の圧縮映像を伝送するシステムの一例の構成を示すブロック図である。
【０００６】
映像伝送システムは、ＡＴＭ伝送をＡＴＭノード装置１、およびこのＡＴＭノード装置１をリング状に接続するＡＴＭ伝送路２、映像信号圧縮装置であるＭＰＥＧ２エンコーダ５とカメラ７、映像受信側のＡＴＭノード装置１（＃４、＃ｎ）に映像信号復調装置であるＭＰＥＧ２デコーダ６とモニタ８、および回線試験機９から構成される。
【０００７】
カメラ７からの映像信号はＭＰＥＧ２エンコーダ５へ送られ圧縮符号化された後、カメラ側のＡＴＭノード装置１（例えば＃３）を経由して、ＡＴＭ伝送路２を介しモニタ側のＡＴＭノード装置１（例えば＃４）に接続されたＭＰＥＧ２デコーダ６へ送られ、更に復調されてモニタ８に表示される。また、図５に示されるように複数箇所でカメラ７で撮影し、その映像信号を複数箇所でモニタ８で表示するシステム構成をとることができる。
【０００８】
そこで例えば、ＡＴＭノード装置１（例えば＃３）からの映像信号を受信しているＡＴＭノード装置１（例えば＃４）のモニタ８で映像が乱れるような不具合が発生した場合は、障害箇所の判別手順として、まず、カメラ側のＡＴＭノード装置１（＃３）とモニタ側のＡＴＭノード装置１（＃４）間のＡＴＭ伝送路２が正常か否かを確認する必要がある。
【０００９】
そこで、図５の点線で示すようにカメラ側のＡＴＭノード装置１（＃３）とモニタ側のＡＴＭノード装置１（＃４）それぞれの端末接続ポートに、それまで接続していたＭＰＥＧ２のエンコーダ５とデコーダ６の代わりに回線試験機９を接続し、例えば、ビットエラー誤り率測定等、所要の試験、測定を行う。
【００１０】
そして、この試験で異常が検出されなければＡＴＭ伝送路２に関わる部分は正常と判断し、次にＭＰＥＧ２エンコーダ５もしくはＭＰＥＧ２デコーダ６などの映像信号処理に関わる機器やカメラ７およびモニタ８の故障点検を行う。
【００１１】
この点検で異常が検出されれば、さらにどちらのＡＴＭノード装置１（＃３または＃４）が異常か、さらにそのＡＴＭノード装置１（＃３または＃４）内部の故障部位など故障箇所を特定するため、諸々の試験・測定を重ねなければならなかった。
【００１２】
図６は、図５における従来のＡＴＭノード装置１の詳細なブロック図である。
【００１３】
図６において、ＡＴＭノード装置１は端末側の６Ｍインタフェース部１１１、ＡＡＬ１セル化／デセル化部１１２、ＡＴＭスイッチ部１１４、およびＡＴＭ伝送路２と接続する１５５Ｍインタフェース部１１６から構成されている。
【００１４】
そして、上記のＡＴＭ９ノード装置１（＃３）の動作では、ＭＰＥＧ２エンコーダ５ａから６Ｍｂｐｓで入力された映像信号は、ＡＴＭノード装置１の６Ｍインタフェース部１１１でフレーム同期をとり、デジタル映像信号のデータが抽出され、ＡＡＬ１セル化／デセル化部１１２においてＡＴＭセルヘッダが付加されたＡＴＭセルになり、ＡＴＭスイッチ部１１４においてスイッチングされ、１５５Ｍインタフェース部１１６からＡＴＭ伝送路２へ送出される。
【００１５】
一方、上記のＡＴＭ９ノード装置１（＃４）の動作ではＡＴＭ伝送路２を経由して受信した映像信号のＡＴＭセルは、対向するＡＴＭノード装置１の１５５Ｍインタフェース部１１６に入力され、ＡＴＭスイッチ部１１４においてスイッチングされ、次にＡＡＬ１セル化／デセル化部１１２においてＡＴＭセルヘッダを取り外して、デジタル映像信号化される。そして、６Ｍインタフェース部１１１において６Ｍｂｐｓの速度に変換され、ＭＰＥＧ２デコーダ６へ送出される。
【００１６】
このように従来は、映像伝送において不具合が発生すると、映像伝送に関わる故障機器や故障箇所の特定には、伝送路と端末機器の故障判別に始まり、上記で説明したＡＴＭノード装置１が送信側、もしくは受信側のいずれかが故障している場合には、どの信号処理段階で故障をしているかを特定するまでに、複雑かつ、多くの故障判別作業を必要とする問題があった。
また、６Ｍｂｐｓの速度に合わせる圧縮映像信号処理のためＭＰＥＧ２のエンコーダおよびデコーダ装置が必要で、装置や機材の構成が増える問題があった。
【００１７】
【発明が解決しようとする課題】
マルチメディア通信を行うための映像伝送システムは、映像信号圧縮装置を用いるので、規模が大型化するのみならず、不具合が発生した際、不具合が伝送路によるものか、伝送装置に接続した端末機器によるものかを判定するために試験・測定を行うなど、障害箇所特定に多くの作業を要する問題があった。
【００１８】
本発明は、上記問題点を解決するためになされたもので、映像伝送の不具合発生箇所の特定が容易で装置規模を小型化できるＡＴＭ映像伝送システムを提供することを目的とする。
【００１９】
【課題を解決するための手段】
上記目的を達成するため、本発明は、ＡＴＭ伝送路に接続される複数のＡＴＭノード装置間で、ＭＰＥＧ２方式の映像伝送を行うＡＴＭ映像伝送システムにおいて、ＭＰＥＧ２エンコーダからの映像信号を受信するインタフェース部にテストパタン信号を発生する機能と前記テストパタン信号と比較する機能とを設けた第１のＡＴＭノード装置と、前記第１のＡＴＭノード装置から前記ＡＴＭ伝送路を介して送信される前記テストパタン信号を折返す機能を設けたＭＰＥＧ２のデコーダを内蔵した第２のＡＴＭノード装置と、前記第１のＡＴＭノード装置もしくは前記第２のＡＴＭノード装置接続され、前記第１のＡＴＭノード装置及び前記第２のＡＴＭノード装置に対し前記テストパタン信号の送受信の指示、前記ＭＰＥＧ２デコーダの折返し機能に対し前記テストパタン信号の折返し指示、および前記インタフェース部に対し折り返されたテストパタン信号と発生時のテストパタン信号との比較の指示を行う運用管理装置とを具備することを特徴とする。
【００２０】
【発明の実施の形態】
本発明は、ＡＴＭノード装置内に信号折返し試験回路と、ＭＰＥＧ２デコーダを内蔵させ、運用管理装置を用いたＡＴＭ伝送の折返し試験と信号経路（パス）変更を制御することによって、故障箇所の特定を容易にすると同時に装置構成の小型化を実現するものである。
【００２１】
以下、図１乃至図４を用いて、本発明の実施形態によるＡＴＭ伝送による圧縮映像伝送システムの構成と動作について説明する。
【００２２】
図１は、本発明によるＡＴＭ伝送を用いて、ＭＰＥＧ２映像信号の伝送を行う映像伝送システムの構成を示すブロック図で、映像信号の送信側のＡＴＭノード装置１Ａ、受信側のＡＴＭノード装置１Ｂ、ＡＴＭ伝送路２、および運用管理装置３から構成される。
【００２３】
ここでは、ＡＴＭノード装置１Ａ、１Ｂだけ記載するが、ＡＴＭ伝送路２にはこれ以外に多数のＡＴＭノード装置が接続されて、それらの間で映像信号の送受信が行われている。
【００２４】
送信側のＡＴＭノード装置１Ａは、端末側の６Ｍインタフェース部１１、テストパタン信号の発生回路１１ａ、テストパタン比較回路１１ｂ、ＡＡＬ１セル化／デセル化部１２、外部の運用管理装置３と接続する制御部１３、ＡＴＭスイッチ部１４、およびＡＴＭ伝送路２と接続する１５５Ｍインタフェース部１６から構成される。
【００２５】
また受信側のＡＴＭノード装置１Ｂは、ＭＰＥＧ２デコーダ部１７、データ折り返し回路１７ａ、ＡＡＬ１セル化／デセル化部１２、ＡＴＭスイッチ部１４、ＡＴＭ伝送路２と接続する１５５Ｍインタフェース部１６、および制御部１３から構成される。
【００２６】
なお、図１においては、説明を簡明にするため、送信側のＡＴＭノード装置１Ａの送信６Ｍインタフェース部１１、および受信側のＡＴＭノード装置１ＢのＭＰＥＧ２デコーダ部１７は１個しか記載していないが、図３および図４のように、それぞれ２個以上の複数のカメラやモニタ等の端末機器が接続できる構成であってもよい。
【００２７】
また、図１においては一方向の信号の流れのみを記載し、送信側のＡＴＭノード装置１ＡにはＭＰＥＧ２デコーダ部１７、および受信側のＡＴＭノード装置１Ｂには６Ｍインタフェース部１１が記載されていない。しかし、送信側、受信側それぞれのＡＴＭノード装置には、上記と逆方向の信号を処理するためのＭＰＥＧ２デコーダ部１７、および６Ｍインタフェース部１１が含まれる構成であってもよい。また、同一符号のものは同一動作／機能を有するものである。
【００２８】
図１で、映像信号の流れを実線で示している。ＭＰＥＧ２エンコーダからの圧縮映像信号は、ＡＴＭノード装置１Ａの６Ｍインタフェース部１１に入力され、６Ｍインタフェース部１１でフレーム同期をとり、デジタル映像信号のデータが抽出される。次に、ＡＡＬ１セル化／デセル化部１２において、ＡＴＭセルヘッダが付加されたＡＴＭセルになり、ＡＴＭスイッチ部１４でスイッチングされ、１５５Ｍインタフェース部１６からＡＴＭ伝送路２へ送出される。
【００２９】
ＡＴＭ伝送路２を経由した映像信号のＡＴＭセルは、ＡＴＭノード装置１Ｂの１５５Ｍインタフェース部１６に入力され、ＡＴＭスイッチ部１４でスイッチングされ、次にＡＡＬ１セル化／デセル化部１２においてＡＴＭセルヘッダが取り外され、ＭＰＥＧ２デコーダ部１７でデジタル映像信号から復調され、モニタ８への映像信号として送出される。
【００３０】
このように本発明のＡＴＭノード装置１Ｂでは、ＡＡＬ１セル化／デセル化部１２からの圧縮されたデジタル映像信号出力を、直接モニタへ接続できる映像信号へ変換して、従来のＡＴＭノード装置で有していた６Ｍインタフェース部１１１を削除し、またＡＴＭノード装置とモニタとの間のＭＰＥＧ２デコーダ６を削減し、受信側の装置構成を小型化している。
【００３１】
また本発明では、故障箇所を容易に特定できるようにするため、ＡＴＭノード装置１Ａの６Ｍインタフェース部１１にテストパタン発生回路１１ａとテストパタン比較回路１１ｂを設けて、後述するＡＴＭノード装置１Ｂから折返し返送されたテストパタン信号とテストパタン発生回路１１ａで発生したテストパタン信号とを比較し、ＡＴＭ伝送路２の正常／異常を判定する。
【００３２】
そのため、ＡＴＭノード装置１ＡのＭＰＥＧ２デコーダ部１７では、ＡＡＬ１セル化／デセル化部１２方向へのデータ折り返し回路１７ａを有している。
【００３３】
また、ＡＴＭノード装置１Ａの制御部１３は、ＡＴＭ伝送を行うための運用管理装置３と接続される。運用管理装置３は、データ折り返し回路１７ａに対し折返し試験の指示を行い、折返し試験結果を読み出すことに加えて、ＡＴＭ伝送路２に接続されたＡＴＭノード装置１Ａ、１Ｂ内およびＡＴＭノード装置１Ａ−１Ｂ間の信号経路（パス）変更を行う設定が可能である。運用管理装置３は、各制御部１３、１３との間でこれらのＡＴＭノード装置１Ａ−１Ｂのパス変更動作を制御する制御信号を送信すると同時に、ＡＴＭノード装置１Ａおよび１Ｂの動作のモニタ信号を受信している。
【００３４】
運用管理装置３と接続されたＡＴＭノード装置１Ａの制御部１３は、ＡＴＭノード装置１Ａの６Ｍインタフェース部１１とＡＡＬ１セル化デセル化部１２、およびＡＴＭスイッチ部１４へ、またＡＴＭノード装置１Ｂに内蔵されたＭＰＥＧ２デコーダ部１７とＡＡＬ１セル化デセル化部１２、およびＡＴＭスイッチ部１４に対して、ＡＴＭ伝送路２を経由して前述の各種の制御信号を送っている。
【００３５】
この制御信号により、ＡＴＭノード装置１Ａ、１Ｂ内の信号経路（以下パスと呼ぶ）の変更や、上記折り返し試験のためのテストパタン信号の送出、ならびに受信したテストパタン信号との比較、確認の制御が行われる。
【００３６】
以下、折返し試験を行う場合の制御信号の伝送手順を説明する。
【００３７】
ＡＴＭノード装置１Ａの制御部１３は、運用管理装置３から、折返し試験指示の制御信号を受信すると６Ｍインタフェース部１１に対しＭＰＥＧ２エンコーダ５からの映像信号を切り離し、代わりにテストパタン発生回路１１ａから発生するテストパタン信号をＡＡＬ１セル化デセル化部１２に出力させるよう制御する。
【００３８】
同時に制御部１３は、ＡＡＬ１セル化デセル化部１２等にテストパタン信号を出力させる制御信号と、ＡＴＭノード装置１ＡのＡＴＭスイッチ部１４を介してＡＴＭノード装置１Ｂに内蔵されたＭＰＥＧ２デコーダ１７に対して、映像信号の代わりに前述のテストパタン信号をそのままＡＴＭノード装置１Ａへ送り返すための制御信号を送信する。
【００３９】
ＡＴＭノード装置１Ａの制御部１３から送信される制御信号には、ＡＴＭノード装置１Ｂおよび、そこに内蔵されるＭＰＥＧ２デコーダ１７のポートアドレス、送信元のＡＴＭノード装置１Ａおよび６Ｍインタフェース部１１のポートアドレスが付加されており、この制御信号により折返し試験のテストパタン信号の始点と折返し点とが設定される。
【００４０】
これらの制御信号は、１５５Ｍインタフェース部１６を介してＡＴＭ伝送路２に出力される。
【００４１】
ＡＴＭノード装置１Ｂでは、ＡＴＭノード装置１Ａの１５５Ｍインタフェース部１６からＡＴＭ伝送路２を介して送信された制御信号を受信する。そして、１５５Ｍインタフェース部１６で受信した自分あての制御信号をＡＴＭスイッチ部１４が抽出し、ＡＴＭノード装置１Ｂの制御部１３へ出力する。
【００４２】
受信側のＡＴＭノード装置１Ｂの制御部１３は、この制御信号を受信すると、ＭＰＥＧ２デコーダ１７のデータ折返し回路１７ａでテストパタン信号を折り返し、そのまま上述の送信元のアドレスをたどり送り返すよう、テストパタン信号の戻り経路の設定をＡＡＬ１セル化デセル化部１２およびＡＴＭスイッチ部１４に対して行う。
【００４３】
次に、テストパタン信号の流れについて説明する。
【００４４】
ＡＴＭノード装置１Ａのテストパタン発生回路１１ａで発生したテストパタン信号は、ＡＡＬ１セル化デセル化部１２に転送される。ＡＡＬ１セル化デセル化部１２はこのテストパタン信号に、受信先のアドレスや、データの同期情報などを付加してＡＴＭセル化した信号を生成し、ＡＴＭスイッチ部１４へ送信する。このＡＴＭスイッチ部１４は、１５５Ｍインタフェース部１６を介してＡＴＭ伝送路２へテストパタン信号を送信する。
【００４５】
ＡＴＭノード装置１Ｂでは、ＡＴＭ伝送路２からのテストパタン信号がインタフェース部１６を介してＡＴＭスイッチ部１４で受信され、ＡＴＭスイッチ部１４は自分あてのテストパタン信号を抜出してＡＡＬ１セル化デセル化部１２に転送する。ＡＡＬ１セル化デセル化部１２はこのテストパタン信号から不要なアドレスやヘッダ情報などを取り外し、ＭＰＥＧ２デコーダ１７に更に転送する。
【００４６】
ＭＰＥＧ２デコーダ１７では運用監理装置３からの制御信号によりデータ折り返し回路１７ａが、そのまま、受信したテストパタン信号をＡＡＬ１セル化デセル化部１２に返送する。ＡＡＬ１セル化デセル化部１２では、折返されたテストパタン信号にアドレスやヘッダ情報が再び付加されＡＴＭスイッチ部１４へ出力される。そして更にＡＴＭ伝送路２等を通過して、ＡＴＭノード装置１Ａの６Ｍインタフェース部１１のテストパタン比較回路１１ｂまで送り返される。
【００４７】
６Ｍインタフェース部１１のテストパタン比較回路１１ｂは、受信したテストパタン信号と、テストパタン発生回路１１ａで発生したテストパタンと比較し、その結果はモニタ信号となって制御部１３から運用管理装置３へ出力される。
【００４８】
なお図１では、送信側のＡＴＭノード装置１Ａに運用管理装置３が接続されているが、ＡＴＭノード装置１Ｂの制御部１３に運用管理装置３が接続されてもよい。この場合はＡＴＭノード装置１Ｂの制御部１３が直接ＭＰＥＧ２デコーダ１７に折返し指示を行い、またＡＴＭノード装置１Ａの６Ｍインタフェース部１１にテストパタン信号の送信とその受信した結果の比較を指示する。その比較結果はＡＴＭノード装置１Ａの制御部１３からＡＴＭスイッチ部１４を経由しＡＴＭ伝送路２を介してＡＴＭノード装置１ＢのＡＴＭスイッチ部１４を経由し、ＡＴＭノード装置１Ｂの制御部１３へ伝えられる。
【００４９】
運用管理装置３は、ＡＴＭノード装置１Ａの制御部１３に対して、６Ｍインタフェース部１１の複数あるポートでの接続ポートの選択、同様にＭＰＥＧ２デコーダの複数ポートでの接続ポートの選択を指示することが可能である。つまり映像信号の経路（パス）を定める制御信号のアドレス設定により、折返し試験の接続先を設定できるだけでなく、不具合発生時に、ＡＴＭノード装置の内部接続を含むパスが変更可能なので、ＡＴＭノード装置へ接続するＭＰＥＧ２エンコーダやモニタなどが内部の故障部分を迂回した接続も可能となる。
【００５０】
この結果、上記データ折返し指示、テストパタン送出指示、テストパタン信号の比較による故障箇所の特定が容易になり、またパス変更により不具合発生時の故障した端末とＡＴＭノード装置との接続ポートの変更・切替が可能となる。
【００５１】
この様に運用管理装置３は、ＡＴＭ伝送のパスを定めるアドレス設定をＡＴＭ伝送路２に接続されたＡＴＭノード装置１Ａ，１Ｂに対して行っている。従って、運用管理装置３をＡＴＭノード装置１Ａもしくは１Ｂの制御部１３に接続するだけでなく、ＡＴＭ伝送路２に接続された第３のＡＴＭノード装置（例えば図５のＮ）の制御部に接続しても、折返し試験ができる。
【００５２】
以下、図１〜図４を用いて本発明における故障箇所特定をするための故障判別動作を説明する。図２は、故障判別の動作を示すフローチャートである。
【００５３】
図３、図４は図１から故障判別に関する構成要素を抜出し、太線で信号経路を書き加えたもので、この信号経路（パス）の切替えは、前述の運用管理装置３からの指示により、制御部１３からの制御信号によって行われる。
【００５４】
例えば、モニタの映像がノイズ発生等により異常表示となった場合、運用管理装置３から上述のように、ＡＴＭノード装置１Ｂのデータ折返し回路１７ａに対してデータ折返し指示を行う（ステップｓ１１）。
【００５５】
次に、運用管理装置３からＡＴＭノード装置１Ａのテストパタン発生回路１１ａに対して、テストパタン信号の送出指示を行い（ステップｓ１２）、続いてＡＴＭノード装置１Ａのテストパタン比較回路１１ｂにおいて、テストパタン発生回路１１ａから送出したテストパタン信号と、ＡＴＭ伝送路２などを通過し、ＡＴＭノード装置１ＢのＭＰＥＧ２デコーダ１７で折返され再びＡＴＭ伝送路２などを通過してきたテストパタン信号とを比較する（ステップｓ１３）。
【００５６】
図１では、この折り返し試験の制御信号とテストパタン信号の流れが点線で示されている。この折返し試験の比較の結果が、不一致であればＡＴＭノード装置１ＡとＡＴＭノード装置１Ｂ間のＡＴＭ伝送路２が異常であると判断する（ステップｓ１４のＮｏ）。
【００５７】
そして、別途準備されたＡＴＭ伝送路２の故障箇所測定手順に従い、故障点検を実施する（ステップｓ１９）。
【００５８】
一方、比較の結果が一致（正常）した場合は、次のステップとしてＡＴＭノード装置１Ａとカメラ７もしくはＡＴＭノード装置１Ｂとモニタ８間の故障箇所特定を行う（ステップｓ１４のＹｅｓ）。
【００５９】
以下、図３および図４を用いて、故障箇所特定における映像信号のパス切替え動作を説明する。
【００６０】
図３では、二つのカメラ７（＃１、＃２）とＭＰＥＧ２エンコーダ５（＃１、＃２）からなる２つの信号系統が、ＡＴＭノード装置１Ａのカメラ接続ポートとなる６Ｍインタフェース部１１（＃１、＃２）に接続されている。そしてその一方の６Ｍインタフェース部１１（＃２）側の系統が、ＡＴＭスイッチ部１４によって選択され、さらに対向するモニタ側のＡＴＭノード装置１ＢのＡＴＭスイッチ部１４によって、二つのＭＰＥＧ２デコーダ１７（＃１、＃２）の一方のＭＰＥＧ２デコーダ１７（＃１）に接続され、さらにモニタ８に伝わる状態を示している。
【００６１】
図３に示すように、二つのポートにカメラ７（＃１、＃２）が接続されている場合（ステップｓ１５のＹｅｓ）は、運用管理装置３から制御部１３に対して異常表示となった、撮影中のカメラ７（＃１）を接続しているポートから他方のカメラ７（＃２）の接続ポートにパスの接続を変更する指示を行い（ステップｓ１６）、モニタ８にてカメラ７（＃２）の映像を確認する。
【００６２】
この結果、モニタ８に表示される映像が正常（ステップｓ１７）であれば、カメラ側のＡＴＭノード装置１Ａとカメラ７（＃１）の間の不良と判断し故障点検を行う（ステップｓ１８）。即ち、カメラ７（＃２）−ＡＴＭノード装置１Ａ間は正常であるならば、その前の接続状態に異常発生の原因があると判断できる。
【００６３】
一方、映像が異常であれば、モニタ側ＡＴＭノード装置１Ｂとモニタ８の間の不良と判断（ステップｓ２３）し、故障点検を行う。即ち、カメラ７（＃１、＃２）をどちらに接続しても異常となることは、ＡＴＭノード装置１Ｂに異常発生の原因があると判断できる。
【００６４】
図４は、二つのモニタ（＃１、＃２）がある場合の切替えと信号の流れを示し、１台のカメラ７からの映像信号が、２台のモニタ８（＃１、＃２）の内の一方のモニタ８（＃２）にモニタ側ＡＴＭノード装置１Ｂの中のＭＰＥＧ２デコーダ１７（＃１、＃２）で転送され、受信されるまでを示している。
【００６５】
図４に示すようにモニタ８（＃１、＃２）を２台接続している場合は（ステップｓ２０のＹｅｓ）、図３の例と同様に運用管理装置３から制御部１３に対して、異常表示となった使用中のモニタ８（＃１）を接続しているポートから他方のモニタ８（＃２）を接続しているポートにパスの接続を変更する指示を行い（ステップｓ２１）、新たに接続されたモニタ８（＃２）にてカメラ７の映像を確認する。
【００６６】
そして、モニタ８（＃２）に表示される映像が正常であればモニタ側ＡＴＭノード装置１Ｂとモニタ８（＃１）の間の不良と判断し、故障点検を行う（ステップｓ１８）。即ち、モニタ８（＃２）−ＡＴＭノード装置１Ｂ間は正常であるならば、その前の接続状態に異常があると判断できる。
【００６７】
一方映像が異常であればカメラ側ＡＴＭノード装置１Ａとカメラ７の間の不良（ステップｓ２３）と判断し、故障点検を行う。即ち、モニタ８（＃１、＃２）をどちらに接続しても異常となることは、ＡＴＭノード装置１Ａ側に異常発生の原因があると判断できる。
【００６８】
カメラ１台とモニタを１台づつ接続している場合は（ステップｓ２０のＮｏ）、故障箇所特定のためにカメラ側およびモニタ側のＡＴＭノード装置１Ａ、１Ｂ、カメラ７、およびモニタ８それぞれを個別に点検する（ステップｓ２４）。
【００６９】
このように、本発明による映像伝送システムでは、故障箇所の特定が容易にできると同時に、パスの変更により障害部位を回避した映像伝送が可能である。
【００７０】
本発明は、図１の説明で述べたとおり、放送や遠隔監視のような片方向のみの映像信号伝送に限ることなく、ＡＴＭノード装置１は、双方向で映像信号を伝送する応用例を含むもので、例えば、多数のＡＴＭノード装置を用いたテレビ会議システムにも適用可能な方式であることはもちろんである。かかる場合は、受信側ＡＴＭノード装置１Ｂにおいて、６Ｍインタフェース部を削除し、ＭＰＥＧ２デコーダを内蔵したことにより、映像伝送装置が小型化し、スペース削減等の効果も得られる。
【００７１】
【発明の効果】
本発明では、折返し試験機能とＭＰＥＧ２デコーダをＡＴＭノード装置に内蔵させることにより、映像不具合発生時の障害箇所の特定が容易で、かつ装置規模が小型化した映像伝送システムを実現できる。
【図面の簡単な説明】
【図１】本発明による圧縮映像信号システムの実施形態の構成を示すブロック図。
【図２】本発明による圧縮映像信号システムの故障障害切分け動作を示すフローチャート。
【図３】本発明の故障判別における、映像信号のパス切替え動作を示すブロック図。
【図４】本発明の故障判別における、映像信号のパス切替え動作を示すブロック図。
【図５】従来のＡＴＭ伝送を用いた圧縮映像信号伝送システムの１例の構成を示すブロック図。
【図６】図５のＡＴＭノード装置１の詳細なブロック図。
【符号の説明】
１Ａ　送信側ＡＴＭノード装置
１Ｂ　受信側ＡＴＭノード装置
２　ＡＴＭ伝送路
３　運用管理装置
５　ＭＰＥＧ２エンコーダ
６　ＭＰＥＧ２デコーダ
７　カメラ
８　モニタ
９　回線試験機
１１　６Ｍインタフェース部
１１ａ　テストパタン発生回路
１１ｂ　テストパタン比較回路
１２　ＡＴＭスイッチ部
１３　制御部
１４　ＡＡＬ１セル化デセル化部
１７　ＭＰＥＧ２デコーダ部
１７ａ　データ折り返し回路
【図１】
2004032345.tif 000003
【図２】
2004032345.tif 000004
【図３】
2004032345.tif 000005
【図４】
2004032345.tif 000006
【図５】
2004032345.tif 000007
【図６】
2004032345.tif 000008